(57)【特許請求の範囲】
【請求項１】
建物の床上空間を床上空調と床下空調とで空調可能とした空調システムであって、
床上空調を行う吹出型空調装置、及び床下空調を行う放射型空調装置が、前記建物の床下空間内に設置されており、
前記建物の前記床上空間の壁の上部には、床上空調用の給気口が設けられ、該給気口は、ダクトを介して、前記吹出型空調装置の吹出部と接続され、
前記建物の前記床上空間は、仕切壁で仕切られ、居室空間と非居室空間とが形成されており、
前記非居室空間の床部には、床上空調用の排気口が設けられ、該排気口は、ダクトを介して、前記吹出型空調装置の吸込部と接続され、
前記給気口は、前記仕切壁に設けられ、
前記放射型空調装置は、上方へ熱放射が可能な熱放射パネルであることを特徴とする空調システム。
【請求項２】
前記吹出型空調装置及び前記放射型空調装置は、ヒートポンプ式のものであり、共通のヒートポンプ装置に接続されていることを特徴とする請求項１に記載の空調システム。
【請求項３】
前記床下空間を形成する基礎の周面には、断熱材が貼設され断熱基礎構造とされていることを特徴とする請求項１又は２に記載の空調システム。
【請求項４】
前記吹出型空調装置は、床下空調する必要のない箇所の下方に設置されていることを特徴とする請求項１乃至３のいずれか１項に記載の空調システム。
【請求項５】
請求項１乃至４のいずれか１項に記載の空調システムを備えていることを特徴とする建物。
【発明の詳細な説明】
【技術分野】
【０００１】
本発明は、建物の空調システム、及びこの空調システムを備えた建物に関するものである。
【背景技術】
【０００２】
従来から、建物内の床上空間を、直接的に空調する床上空調と、床下空間側から床部を介して間接的に空調する床下空調との両方で空調することができる空調システムは知られ、実施に供されている（例えば特許文献１等を参照）。
【先行技術文献】
【特許文献】
【０００３】
【特許文献１】特開２００７−７８３２４号公報
【発明の概要】
【発明が解決しようとする課題】
【０００４】
しかしながら、上記した特許文献１のような従来の空調システムは、床上空調を行う空調装置が床上空間内に設けられているため、その分、床上空間を占有してしまうし、床下空調を行う空調装置は吹出型空調装置であるため、階段の下側や収納部等の床下空調する必要のない箇所まで床下空調をしてしまい、無駄な熱エネルギーを用いており、エネルギー効率が良いものとは言えなかった。
【０００５】
そこで、本発明は、空調装置で床上空間を占有することなく、エネルギー効率が良い空調システム、及びこの空調システムを備えた建物を提供することを目的としている。
【課題を解決するための手段】
【０００６】
前記目的を達成するために、本発明の空調システムは、建物の床上空間を床上空調と床下空調とで空調可能とした空調システムであって、床上空調を行う吹出型空調装置、及び床下空調を行う放射型空調装置が、前記建物の床下空間内に設置されており、前記建物の前記床上空間の壁又は天井には、床上空調用の給気口が設けられ、該給気口は、ダクトを介して、前記吹出型空調装置の吹出部と接続されていることを特徴とする。
【０００７】
ここで、前記建物の前記床上空間は、仕切壁で仕切られ、居室空間と非居室空間とが形成されており、前記非居室空間に面して床上空調用の排気口が設けられ、該排気口は、ダクトを介して、前記吹出型空調装置の吸込部と接続されているとよい。
【０００８】
また、前記放射型空調装置は、上方へ熱放射が可能な熱放射パネルであるとよい。
【０００９】
さらに、前記吹出型空調装置及び前記放射型空調装置は、ヒートポンプ式のものであり、共通のヒートポンプ装置に接続されているとよい。
【００１０】
また、前記床下空間を形成する基礎の周面には、断熱材が貼設され断熱基礎構造とされているとよい。
【００１１】
さらに、前記吹出型空調装置は、床下空調する必要のない箇所の下方に設置されているとよい。
【００１２】
本発明の建物は、上記した本発明の空調システムを備えていることを特徴とする。
【発明の効果】
【００１３】
このような本発明の空調システムは、建物の床上空間を床上空調と床下空調とで空調可能とした空調システムであって、床上空調を行う吹出型空調装置、及び床下空調を行う放射型空調装置が、建物の床下空間内に設置されており、建物の床上空間の壁又は天井には、床上空調用の給気口が設けられ、給気口は、ダクトを介して、吹出型空調装置の吹出部と接続された構成とされている。
【００１４】
上記した構成なので、床上空調を行う吹出型空調装置が床下空間内に設置されているため、床上空間を占有してしまうことはなく、床下空調を行う放射型空調装置は、床下空調が必要な箇所だけに配置すればよいため、熱エネルギーの損失が少なくて済み、エネルギー効率が良い。
【００１５】
ここで、建物の床上空間は、仕切壁で仕切られ、居室空間と非居室空間とが形成されており、非居室空間に面して床上空調用の排気口が設けられ、排気口は、ダクトを介して、吹出型空調装置の吸込部と接続されている場合は、排気口を居室空間の床などに設けずに済むので、居室空間内が排気口のガラリで意匠性が損なわれることがないうえに、排気口を設けた位置による家具などの物の配置の制限もなくすことができる。
【００１６】
また、放射型空調装置は、上方へ熱放射が可能な熱放射パネルである場合は、高さが低い床下空間にも容易に設置することができる。
【００１７】
さらに、吹出型空調装置及び放射型空調装置は、ヒートポンプ式のものであり、共通のヒートポンプ装置に接続されている場合は、共通のヒートポンプ装置を用いるので、制御構造を簡易なものとすることができる。
【００１８】
また、床下空間を形成する基礎の周面には、断熱材が貼設され断熱基礎構造とされている場合は、床下空間内は屋外の温度影響を受け難いので、エネルギー損失が少ない床下空調を行うことができる。
【００１９】
さらに、吹出型空調装置は、床下空調する必要のない箇所の下方に設置されている場合は、吹出型空調装置を、放射型空調装置による床下空調の邪魔にならないように容易に設置することができる。
【００２０】
このような本発明の建物は、上記した本発明の空調システムを備えた構成とされている。  
【００２１】
上記した構成なので、上記した本発明の空調システムの効果を奏する建物とすることができる。
【図面の簡単な説明】
【００２２】
【図１】実施例の空調システムを備えた建物の概略構成を示す説明図である。
【図２】実施例の空調システムにおいて、床上暖房又は床上冷房を行った状態を示す説明図である。
【図３】実施例の空調システムにおいて、床下暖房を行った状態を示す説明図である。
【図４】実施例の空調システムにおいて、床上暖房及び床下暖房の両方を行った状態を示す説明図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の空調システムを備えた建物１の概略構成を示している。
【００２６】
この建物１は、地盤に打設された基礎１Ｂの上に、建物本体１Ａが構築されて成る。
【００２７】
ここで、建物本体１Ａと基礎１Ｂとの間は床部１Ｃで仕切られ、建物本体１Ａ内には、床上空間２が形成され、基礎１Ｂ内には、床下空間３が形成されている。
【００２８】
また、床上空間２は、仕切壁１Ｄで仕切られ、居室空間２Ａと非居室空間２Ｂとが形成されている。
【００２９】
また、基礎１Ｂの立ち上がり側壁部の内周面には、断熱材４が貼設され、断熱基礎構造とされている。
【００３０】
さらに、床下空間３内には、床上空調を行うための吹出型空調装置としてのエアコンディショナー５と、床下空調を行うための放射型空調装置としての熱放射パネル６，・・・とが設置されている。
【００３１】
より具体的には、エアコンディショナー５は、非居室空間２Ｂに設けられた床下空調する必要のない収納部２１の下方に設置され、熱放射パネル６，・・・は、床下空調する必要のある居室空間２Ａの下方及び非居室空間２Ｂの収納部２１の手前側の下方に設置されている。
【００３２】
なお、非居室空間２Ｂの収納部２１の手前側の下方に設置された熱放射パネル６については、見易くするために、図示を省略した。
【００３３】
また、エアコンディショナー５と熱放射パネル６，・・・とは、ともにヒートポンプ式のものであり、建物１の屋外に設置した共通のヒートポンプ装置７に熱媒体循環管５ａ，６ａでそれぞれ接続されている。
【００３４】
ここで、エアコンディショナー５の熱媒体循環管５ａ内を循環する熱媒体には、代替フロンが用いられ、熱放射パネル６，・・・の熱媒体循環管６ａ内を循環する熱媒体には、水が用いられている。
【００３５】
また、仕切壁１Ｄの居室空間２Ａ側の上部には、グリル付きの床上空調用の給気口８が設けられており、この給気口８は、ダクト９を介して、エアコンディショナー５の吹出部５１に接続されている。
【００３６】
さらに、非居室空間２Ｂの床部１Ｃには、グリル付きの床上空調用の排気口１０が設けられており、この排気口１０は、ダクト１１を介して、エアコンディショナー５の吸込部５２に接続されている。
【００３７】
なお、居室空間２Ａには、この実施例の空調システムを所望の運転に設定するためのコントローラ１２が設けられている。
【００３８】
次に、実施例の空調システムの運転パターンについて説明する。
【００３９】
まず、暖房運転時のパターンについて説明する。
【００４０】
床上空間２の特に居室空間２Ａを、床上暖房のみで暖めたいときは、エアコンディショナー５のみを稼働させる。
【００４１】
これにより、図２に示したように、エアコンディショナー５の吹出部５１から吹き出された暖気は、給気口８から居室空間２Ａ内へ吹き出され、居室空間２Ａ内で暖気が対流して、居室空間２Ａが即座に暖まる。
【００４２】
なお、居室空間２Ａを暖めおわった空気は、仕切壁１Ｄに設けられた図示省略のドアの隙間などから非居室空間２Ｂ側へ流れ、排気口１０から排気され、エアコンディショナー５の吸込部５２に吸い込まれる。
【００４３】
床上空間２を、床下暖房のみで暖めたいときは、熱放射パネル６，・・・のみを稼働させる。
【００４４】
これにより、図３に示したように、熱放射パネル６，・・・から放射された温熱は、床部１Ｃを介して床上空間２へ伝達され、床上空間２が均一にムラなく暖まる。
【００４５】
厳寒期などに、床上空間２の特に居室空間２Ａを、床上暖房及び床下暖房の両者で暖めたいときは、エアコンディショナー５及び熱放射パネル６，・・・を稼働させる。
【００４６】
これにより、図４に示したように、居室空間２Ａ内で対流する暖気と、床部１Ｃを介して床上空間２へ伝達される温熱とで、居室空間２Ａが即座に且つ均一にムラなく暖まるとともに、非居室空間２Ｂは、均一にムラなく適度に暖まる。
【００４７】
次に、冷房運転時のパターンについて説明する。
【００４８】
床上空間２の特に居室空間２Ａを冷房で冷やしたいときは、エアコンディショナー５のみを稼働させる。
【００４９】
これにより、図２に示したように、エアコンディショナー５の吹出部５１から吹き出された冷気は、給気口８から居室空間２Ａ内へ吹き出され、居室空間２Ａ内で冷気が対流して、居室空間２Ａが即座に冷やされる。
【００５０】
なお、居室空間２Ａを冷やしおわった空気は、仕切壁１Ｄに設けられた図示省略のドアの隙間などから非居室空間２Ｂ側へ流れ、排気口１０から排気され、エアコンディショナー５の吸込部５２に吸い込まれる。
【００５１】
また、この冷房運転時には、コントローラ１２で所望の湿度を設定することにより、エアコンディショナー５の除湿機能で除湿することもできる。
【００５２】
次に、実施例の作用効果について説明する。
【００５３】
このような実施例の空調システムは、建物１の床上空間２を床上空調と床下空調とで空調可能とした空調システムであって、床上空調を行う吹出型空調装置としてのエアコンディショナー５、及び床下空調を行う放射型空調装置としての熱放射パネル６，・・・が、建物１の床下空間３内に設置されており、建物１の居室空間２Ａの壁である仕切壁１Ｄには、床上空調用の給気口８が設けられ、給気口８は、ダクト９を介して、エアコンディショナー５の吹出部５１と接続された構成とされている。
【００５４】
上記した構成なので、床上空調を行う吹出型空調装置としてのエアコンディショナー５が床下空間３内に設置されているため、床上空間２を占有してしまうことはなく、床下空調を行う放射型空調装置としての熱放射パネル６，・・・は、床下空調が必要な箇所だけに配置すればよいため、熱エネルギーの損失が少なくて済み、エネルギー効率が良い。
【００５５】
ここで、建物１の床上空間２は、仕切壁１Ｄで仕切られ、居室空間２Ａと非居室空間２Ｂとが形成されており、非居室空間２Ｂの床部１Ｃに床上空調用の排気口１０が設けられ、排気口１０は、ダクト１１を介して、吹出型空調装置としてのエアコンディショナー５の吸込部５２と接続されている。
【００５６】
このため、排気口１０を居室空間２Ａの床部１Ｃなどに設けずに済むので、居室空間２Ａ内が排気口１０のガラリで意匠性が損なわれることがないうえに、排気口１０を設けた位置による家具などの物の配置の制限もなくすことができる。
【００５７】
また、放射型空調装置は、上方へ熱放射が可能な熱放射パネル６である。
【００５８】
このため、高さが低い床下空間３にも容易に設置することができる。
【００５９】
さらに、吹出型空調装置としてのエアコンディショナー５及び放射型空調装置としての熱放射パネル６，・・・は、ヒートポンプ式のものであり、共通のヒートポンプ装置７に接続されている。
【００６０】
このため、共通のヒートポンプ装置７を用いるので、制御構造を簡易なものとすることができる。
【００６１】
また、床下空間３を形成する基礎１Ｂの立ち上がり側壁部の内周面には、断熱材４が貼設され断熱基礎構造とされている。
【００６２】
このため、床下空間３内は屋外の温度影響を受け難いので、エネルギー損失が少ない床下空調を行うことができる。
【００６３】
さらに、吹出型空調装置としてのエアコンディショナー５は、床下空調する必要のない箇所である収納部２１の下方に設置されている。
【００６４】
このため、吹出型空調装置としてのエアコンディショナー５を、放射型空調装置としての熱放射パネル６，・・・による床下空調の邪魔にならないように容易に設置することができる。
【００６５】
このような実施例の建物１は、上記した実施例の空調システムを備えた構成とされている。  
【００６６】
上記した構成なので、上記した実施例の空調システムの作用効果を奏する建物とすることができる。
【００６７】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６８】
例えば、上記した実施例では、建物１を説明し易いように簡易な構造としたが、これに限定されず、より複雑な構造として実施してもよい。
【００６９】
また、上記した実施例では、給気口８を壁である仕切壁１Ｄに設けて実施したが、これに限定されず、天井に設けて実施してもよい。
【００７０】
さらに、上記した実施例では、床下空調として、床下暖房のみを行えるようにしたが、これに限定されず、床下空間３内の結露防止処理を行えば、床下冷房も行えるようにして実施してもよい。
【００７１】
また、上記した実施例では、吹出型空調装置としてのエアコンディショナー５を、床下空調する必要のない収納部２１の下方に設置して実施したが、これに限定されず、階段の下方などに設置して実施してもよい。
【符号の説明】
【００７２】
１      建物
１Ａ    建物本体
１Ｂ    基礎
１Ｃ    床部
１Ｄ    仕切壁（壁）
２      床上空間
２Ａ    居室空間
２Ｂ    非居室空間
２１    収納部
３      床下空間
４      断熱材
５      エアコンディショナー（吹出型空調装置）
５１    吹出部
５２    吸込部
５ａ    熱媒体循環管
６      熱放射パネル（放射型空調装置）
６ａ    熱媒体循環管
７      ヒートポンプ装置
８      給気口
９      ダクト
１０    排気口
１１    ダクト
１２    コントローラ
【図１】
0006654822.tif 000002
【図２】
0006654822.tif 000003
【図３】
0006654822.tif 000004
【図４】
0006654822.tif 000005